(57)【要約】【課題】回路基板の実装率を損なうことなく、設置が容易に行える空冷構造、及び、この空冷構造を備えた遊技機の提供。【解決手段】マルチメディア処理ボード21に対向して配置されている固定板22C に固定されるとともに、固定板22C から離間してＩＣ27に近接する位置に配置される吸熱部42を備えた放熱板41を設け、この放熱板41でＩＣ27を冷却する。これにより、放熱板41を取り付けるための取付しろをマルチメディア処理ボード21に設ける必要をなくす。従って、マルチメディア処理ボード21の全面をＩＣ27等の電子素子の設置に利用することができ、マルチメディア処理ボード21の実装率を何ら損なうことがない。固定板22C には、放熱板41を容易に取り付けることができ、空冷構造40の設置が容易となる。【選択図】    図４
2005152433.tif 000002
【特許請求の範囲】
【請求項１】
固定板に間隔をおいて対向配置される回路基板に設けられた電子素子を放熱板で冷却するための空冷構造であって、
前記電子素子は、作動時に発熱する発熱部を備えるとともに、前記回路基板の前記固定板と対向する面に固定され、
前記放熱板は、前記回路基板の前記電子素子に対応する位置において前記固定板に固定されるとともに、前記固定板から離間して前記電子素子に近接する位置に配置される吸熱部を備え、
前記電子素子の前記発熱部及び前記放熱板の前記吸熱部の間には、前記発熱部及び前記吸熱部の両方に密着可能な柔軟性及び熱伝導性を有する熱伝導体が介装されていることを特徴とする空冷構造。
【請求項２】
前記放熱板は、その中央部部分に前記吸熱部が設けられ、且つ、前記吸熱部の両端縁で折れ曲がるとともに当該端縁から前記固定板へ向かって延びる一対の脚部と、これらの脚部の各先端縁で前記固定板の表面に沿うように折れ曲がるとともに前記固定板に固定される一対の被固定部とを備えていることを特徴とする請求項１記載の空冷構造。
【請求項３】
前記固定板には、前記放熱板の両端縁に配置されている前記被固定部の各々を固定する一対の係止部が設けられ、
これら一対の係止部の各々は、前記固定板の上に置かれた前記被固定部の先端面、側面及び上面のそれぞれと係合してその位置を規制する先端面位置規制部、側面位置規制部及び上面位置規制部を備え、
前記一対の係止部のうち、少なくとも一方の係止部には、弾性変形可能な腕部が設けられ、この腕部の先端に前記上面位置規制部が設けられ、
前記上面位置規制部は、前記腕部の弾性変形により、前記被固定部の上面の位置を規制する規制位置から前記被固定部の上面の位置規制を解除する解除位置まで移動可能となっていることを特徴とする請求項２記載の空冷構造。
【請求項４】
前記固定板は、熱可塑性樹脂製であることを特徴とする請求項３記載の空冷構造。
【請求項５】
前記電子素子として設けられたＩＣを冷却するために、請求項１記載の空冷構造を備えていることを特徴とする遊技機。
【発明の詳細な説明】
【技術分野】
【０００１】
本発明は、回路基板に設けられた電子素子を放熱板で冷却するための空冷構造、及び、この空冷構造を利用した遊技機に関するものである。
【背景技術】
【０００２】
従来から、スロットマシンやパチンコ遊技機等の遊技機は、人々に娯楽を提供するための手段として利用されている。このうち、スロットマシンは、複数種類の図柄が記されるとともに回転駆動可能に設けられた複数の回転リールを備えた遊技機である。
このようなスロットマシンでは、メダルを投入してから、スタートレバー等を操作して、回転リールを一斉にスタートさせることにより、遊技が開始される。そして、回転駆動させた複数の回転リールを適宜停止させ、これらの回転リールに表示された図柄が特定の組合せとなったときに入賞となる。そして、入賞すると、入賞した役に応じた数のメダルが遊技機から払い出されることとなる。
【０００３】
また、遊技機としては、遊技を演出する動画の表示を行うために、液晶ディスプレイ等の表示装置を備えたものが利用されている。そして、遊技機には、高速で画像処理が行えるグラフィック処理装置が設けられている。このグラフィック処理装置で表示装置を駆動することにより、遊技機の表示装置は、高解像度で滑らかな動きの動画を表示することができるようになっている。
グラフィック処理装置は、多種多様な電子回路により形成された回路基板から構成されたものとなっている。そして、回路基板は、プリント配線基板に様々な電子素子を取り付けたものである。
【０００４】
ここで、電子回路には、コンデンサ、インダクタンス及び直流抵抗器等の受動素子、並びに、トランジスタ等の能動素子が単体の電子素子として採用されているだけでなく、複数の素子の集合体であるＩＣチップやＬＳＩチップも電子素子として採用されている。
また、動作時に高熱を発する電子素子が回路基板に設けられている場合、当該電子素子を熱破壊から保護するために、電子素子を冷却する必要が生じる。この場合、回路基板の機能には直接関係ない放熱板（ヒートシンク）を備え、この放熱板で電子素子を冷却する空冷構造を設けている。このような空冷構造によれば、電子素子を熱破壊から保護することができる（例えば、特許文献１参照。）。
【特許文献１】特開２００２−１８４９２０号公報（図１）
【発明の開示】
【発明が解決しようとする課題】
【０００５】
しかしながら、前述のような空冷構造では、電子素子を冷却する放熱板が回路基板に取り付けられているので、放熱板を回路基板に取り付けるための部位である取付しろが回路基板に必要となる。例えば、ネジで放熱板を回路基板に取り付ける場合には、ネジ孔を形成するのに充分なサイズの取付しろが回路基板に必要となる。
このため、前述のような空冷構造を回路基板に設けると、放熱板の取付しろにより、電子素子が配置できない部位が生じ、回路基板の実装率が低下するという問題がある。
逆に、回路基板の実装率を向上させると、電子素子の取り付け以外に利用できる空間的な余裕がなくなり、放熱板を回路基板に取り付けるのが難しくなり、空冷構造の設置が著しく困難となる。
【０００６】
そこで、各請求項にそれぞれ記載された各発明は、上記した従来の技術の有する問題点に鑑みてなされたものであり、その目的とするところは、回路基板の実装率を損なうことなく、設置が容易に行える空冷構造、及び、この空冷構造を備えた遊技機を提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、固定板(22C) に間隔をおいて対向配置される回路基板(21)に設けられた電子素子(27)を放熱板(41)で冷却するための空冷構造(40)であり、前記電子素子(27)は、作動時に発熱する発熱部(27A) を備えるとともに、前記回路基板(21)の前記固定板(22C) と対向する面に固定され、前記放熱板(41)は、前記回路基板(21)の前記電子素子(27)に対応する位置において前記固定板(22C) に固定されるとともに、前記固定板(22C) から離間して前記電子素子(27)に近接する位置に配置される吸熱部(42)を備え、前記電子素子(27)の前記発熱部(27A) 及び前記放熱板(41)の前記吸熱部(42)の間には、前記発熱部(27A) 及び前記吸熱部(42)の両方に密着可能な柔軟性及び熱伝導性を有する熱伝導体(43)が介装されていることを特徴とする。
【０００８】
ここで、熱伝導体(43)としては、シリコーンゴム系熱伝導シート等の固形物からなる熱伝導体、及び、シリコーングリスや他の放熱グリス等の流動物からなる熱伝導体の何れもが採用できる。
（請求項２）
（特徴点）
請求項２記載の発明は、前述した請求項１に記載の発明において、次の特徴点を備えているものである。
すなわち、請求項２記載の発明は、前記吸熱部(42)が前記放熱板(41)の中央部分に設けられ、且つ、前記放熱板(41)には、前記吸熱部(42)の両端縁で折れ曲がるとともに当該端縁から前記固定板(22C) へ向かって延びる一対の脚部(44)と、これらの脚部(44)の各先端縁で前記固定板(22C) の表面に沿うように折れ曲がるとともに前記固定板(22C) に固定される一対の被固定部(45)とが設けられていることを特徴とする。
【０００９】
（請求項３）
（特徴点）
請求項３記載の発明は、前述した請求項２記載の発明において、次の特徴点を備えているものである。
すなわち、請求項３記載の発明は、前記固定板(22C) に、前記放熱板(41)の両端縁に配置されている前記被固定部(45)の各々を固定する一対の係止部(51, 52)が設けられ、これら一対の係止部(51, 52)の各々は、前記固定板(22C) の上に置かれた前記被固定部(45)の先端面(45A) 、側面(45B) 及び上面(45C) のそれぞれと係合してその位置を規制する先端面位置規制部(51A, 52A)、側面位置規制部(51B, 52B)及び上面位置規制部(51C, 52C)を備え、前記一対の係止部(51, 52)のうち、少なくとも一方の係止部(52)には、弾性変形可能な腕部(53)が設けられ、この腕部(53)の先端に前記上面位置規制部(52C) が設けられ、前記上面位置規制部(52C) は、前記腕部(53)の弾性変形により、前記被固定部(45)の上面(45C) の位置を規制する規制位置(α)から前記被固定部(45)の上面(45C) の位置規制を解除する解除位置(β)まで移動可能となっていることを特徴とする。
【００１０】
（請求項４）
（特徴点）
請求項４記載の発明は、前述した請求項３記載の発明において、次の特徴点を備えているものである。
すなわち、請求項４記載の発明は、前記固定板(22C) が、熱可塑性樹脂製であることを特徴とするものである。
（請求項５）
（特徴点）
請求項５記載の発明は、請求項１記載の発明を遊技機に適用したものであり、具体的には、次の特徴点を備えているものである。
【００１１】
すなわち、請求項５記載の発明は、前記電子素子として設けられたＩＣ(27)を冷却するために、請求項１記載の空冷構造(40)を備えていることを特徴とするものである。
【発明の効果】
【００１２】
（請求項１の効果）
以上のように構成されている本発明は、以下に記載されるような効果を奏する。
すなわち、請求項１記載の発明によれば、回路基板に対向して配置されている固定板に固定されるとともに、固定板から離間して電子素子に近接する位置に配置される吸熱部を備えた放熱板で電子素子を冷却するので、回路基板には、放熱板を取り付けるための取付しろを設ける必要がなくなり、放熱板で電子素子を冷却するようにしても、回路基板の全面を電子素子の設置に利用することもでき、回路基板の実装率が何ら損なわれない。
また、固定板は、回路基板を支持するものであり、その表面に電子素子や電気部品等が取り付けられるものではないので、その表面には放熱板を取り付ける空間的な余裕が多くあり、ネジ止め等の適宜な取付構造を採用することにより、放熱板を容易に取り付けることができ、空冷構造の設置が容易に行えるようになる。
【００１３】
さらに、発熱部及び吸熱部の間に柔軟性を有する熱伝導体を介装したので、固定板及び回路基板の面間寸法に誤差が生じていても、この誤差を熱伝導体が吸収し、熱伝導体が発熱部及び吸熱部の両方に密着し、発熱部で発生した熱を吸熱部へ効率よく伝達するようになる。これにより、固定板及び回路基板の組み付けの際に誤差が許容されるようになり、この点からも、空冷構造の設置が容易に行えるようになる。
（請求項２の効果）
請求項２記載の発明によれば、上記した請求項１記載の発明の効果に加え、次のような効果を奏する。
【００１４】
すなわち、請求項２記載の発明によれば、脚部が固定板から回路基板の近傍まで延び、充分な放熱面積が確保されるので、電子素子の発生する熱を確実に放熱できるようになるうえ、放熱板は、金属板を折り曲げることにより製作が行えるようになるので、その製作を容易にすることができる。
（請求項３の効果）
請求項３記載の発明によれば、上記した請求項２記載の発明の効果に加え、次のような効果を奏する。
すなわち、請求項３記載の発明によれば、放熱板を固定板に取り付けるにあたり、放熱板を傾斜させれば、一対の被固定部のうち、固定板に近接する側の被固定部は、そのまま係止部に係止することができる。
【００１５】
そして、被固定部を一方の係止部に係止させたまま、他方の係止部に設けられた腕部を弾性変形させ、これにより、当該係止部に設けられた上面位置規制部を解除位置まで移動すれば、反対側の被固定部を当該係止部との係合位置に配置することができ、反対側の被固定部を係合位置に配置した状態で、腕部を元の位置に復帰させれば、反対側の被固定部も係止部に係止される。
以上により、特殊な工具を用いることなく、且つ、ネジ止め作業等の煩雑な作業も伴わずに、放熱板の取付作業が行えるようになるので、放熱板を固定板に著しく容易に取り付けることができる。
【００１６】
（請求項４の効果）
請求項４記載の発明によれば、上記した請求項３記載の発明の効果に加え、次のような効果を奏する。
すなわち、請求項４記載の発明によれば、射出成形法等で固定板を製作することが可能となるので、固定板に前記係止部を設けたために、固定板が単なる平板よりも複雑な形状となっても、射出成形法等により固定板を容易に大量生産することができる。
（請求項５の効果）
請求項５記載の発明によれば、次のような効果を奏する。
【００１７】
すなわち、請求項５記載の発明によれば、請求項１記載の空冷構造により、冷却効率の向上が図れるようになるので、過熱による電子素子の誤動作が未然に防止され、遊技機を安定して動作させることができる。
【発明を実施するための最良の形態】
【００１８】
以下に、本発明を実施するための最良の形態である一実施形態について、図面に基づいて説明する。
図１ないし図６は、本実施形態を示すものである。図１は、本実施形態に係る遊技機を示す正面図、図２は、本実施形態の要部を示す拡大断面図、図３は、本実施形態に係る空冷構造を示す平面図、図４は、本実施形態の空冷構造を示す側面図、図５は、本実施形態に係る放熱板を示す拡大斜視図、図６は、本実施形態に係る放熱板の取付手順を説明するための図である。
本実施形態に係る遊技機であるスロットマシン１は、図１の如く、直方体の箱状に形成された筐体２を備えている。この筐体２は、３個の回転リール3Aが横並びに設けられたリールユニット３等の遊技用装置を内蔵したものである。筐体２の前面開口部には、そのほぼ中央に図柄表示窓4Aを備えた前扉４が当該前面開口部を覆うように設けられている。
【００１９】
図柄表示窓4Aは、３個すべての回転リール3Aの回転が停止した際に、縦横３個ずつ配列された計９個の図柄が表示できるように形成されている。
具体的には、左側の回転リール3Aの回転が停止すると、図柄表示窓4Aの左側部分の上段、中段及び下段にそれぞれ１個ずつ、合計３個の図柄が表示されるようになっている。中央及び右側の回転リール3Aについても同様に、上段、中段及び下段にそれぞれ１個ずつ、合計３個の図柄が表示されるようになっている。これにより、３個すべての回転リール3Aの回転が停止すると、図柄表示窓4Aには、縦横各３個の計９個からなる図柄が表示可能となっている。
【００２０】
この際、図柄表示窓4Aに表示された縦横各３個の計９個からなる図柄の配列パターンが、いわゆる「出目」である。
図柄表示窓4Aの下方には、メダルが投入されるメダル投入口５、貯留メダルを１枚ずつ投入するためのベットスイッチ６、貯留メダルを３枚ずつ投入するためのマックスベットスイッチ７、回転リール3Aの回転を開始させるためのスタートスイッチ８、及び、回転リール3Aの回転を停止させるためのストップスイッチ９等が設けられている。
前扉４の下部には、入賞時にメダルを払い出すための払出口10が設けられている。この払出口10の下方には、受け皿11が設けられ、払出口10の図中左右には、演出音を発する左スピーカ12及び右スピーカ13が設けられている。
【００２１】
前扉４の上部には、入賞時などに点滅する演出用ランプ14と、入賞役となる図柄の組合せ等を示す表示パネル15と、動画を含む様々な映像や情報を表示することができる液晶パネル16とが設けられている。そして、これらの演出用ランプ14、表示パネル15及び液晶パネル16は、前扉４の上端部分を構成する前扉上部パネル17に固定されている。なお、表示パネル15は、前扉上部パネル17の周縁から離間した中央部分に配置されている。
液晶パネル16は、その画面に画像を表示する表示デバイスであり、動画を含んだ画像の表示を行うための液晶表示ユニット20を構成するものである。
より具体的に説明すると、液晶表示ユニット20は、図２に示すように、前述の液晶パネル16と、この液晶パネル16を駆動するための回路基板であるマルチメディア処理ボード21と、これらの液晶パネル16及びマルチメディア処理ボード21を内部に収納する箱状のカバー部材22とを備えたものとなっている。
【００２２】
ここで、カバー部材22は、二つに区分された二層構造の透明な熱可塑性樹脂製の箱状部材である。具体的に説明すると、カバー部材22は、スロットマシン１の表側に配置された液晶パネル16を収納する液晶パネル室22A と、裏側のマルチメディア処理ボード21を収納する制御デバイス室22B との二つの部屋を有するものとなっている。
また、カバー部材22は、マルチメディア処理ボード21及び液晶パネル16の間に配置されるとともに、マルチメディア処理ボード21を固定するための固定板22C を備えている。この固定板22C は、カバー部材22と同じ透明な熱可塑性樹脂製の平板状部位であり、且つ、マルチメディア処理ボード21とは所定の間隔をおいて互いに対向して配置されている。
【００２３】
さらに、カバー部材22の表側には、室内照明等の光が液晶パネル16の画面に入射して反射するのを防止するために、筒状の画面用フードカバー23が取り付けられている。この画面用フードカバー23の表面側の開口は、液晶パネル16の画面を保護するために、平板状に形成された無色透明のシールド部材24により塞がれている。
マルチメディア処理ボード21は、３次元グラフィックスからなる動画処理を高速で行うためのデバイスであり、プリント基板21A に様々な電子素子等を設けたものである。
プリント基板21A の液晶パネル16とは反対側の面には、比較的大きいサイズに形成されるとともに、発熱量の多いＬＳＩ25, 26が設けられ、プリント基板21A の液晶パネル16側の面には、ＬＳＩ25, 26よりも小さいサイズに形成されるとともに発熱量が比較的小さいＩＣ27が設けられている。
【００２４】
そして、発熱量の比較的多いＬＳＩ25, 26に対しては、その動作時の発熱による過熱を防止するために、冷却風を発生させて強制的に冷却を行う強制空冷構造30が設けられている。この強制空冷構造30は、図２ないし図４に示すように、ＬＳＩ25, 26の放熱を行うためのヒートシンク31と、このヒートシンク31に風が当たるように設けられた冷却ファン32と、ヒートシンク31及びＬＳＩ25, 26の間に介装されたシリコーンゴム製の熱伝導シート34とでＬＳＩ25, 26を冷やすものとなっている。
一方、発熱量の比較的小さいＩＣ27に対しては、その動作時の発熱による過熱を防止するために、自然発生した気流や自然放熱により冷却を行う空冷構造40が取り付けられている。この空冷構造40は、本発明に基づくものであり、図２ないし図４の如く、電子素子としてのＩＣ27の放熱を行うための放熱板41でＩＣ27を冷却するものとなっている。
【００２５】
すなわち、ＩＣ27は、作動時に発熱する発熱部27A を備えている。また、ＩＣ27は、マルチメディア処理ボード21の固定板22C と対向する面に固定されている。
放熱板41は、後述する固定構造50により、固定板22C に固定されている。固定板22C における放熱板41の位置は、マルチメディア処理ボード21のＩＣ27に対応する位置となっている。また、放熱板41は、固定板22C から離間してＩＣ27に近接する位置に配置されている吸熱部42を備えたものとなっている。
そして、ＩＣ27の発熱部27A 及び放熱板41の吸熱部42の間には、発熱部27A 及び吸熱部42の両方に密着可能な柔軟性及び熱伝導性を有する熱伝導体であるシリコーンゴム製の熱伝導シート43が介装されている。
【００２６】
ここで、放熱板41には、図５に示すように、その中央部部分に前述の吸熱部42が設けられ、且つ、吸熱部42の両端縁で折れ曲がるとともに当該端縁から固定板22C へ向かって延びる一対の脚部44と、これらの脚部44の各先端縁で固定板22C の表面に沿うように折れ曲がるとともに固定板22C に固定される一対の被固定部45とが設けられている。
固定板22C には、放熱板41の被固定部45を固定するため固定構造50が設けられている。すなわち、固定板22C には、放熱板41の両端縁に配置されている被固定部45の各々を固定する一対の係止部として、第１係止部51及び第２係止部52が設けられている。
第１係止部51は、図３ないし図５に示すように、横向きの開口を有する略箱状の部位であり、開口の内部に放熱板41の被固定部45の先端部分を包み込むようにして固定するものとなっている。
【００２７】
さらに詳しく説明すると、固定板22C の上に置かれた一方の被固定部45の先端面45A 、側面45B 及び上面45C のそれぞれと係合してその位置を規制するために、第１係止部51には、被固定部45の先端面45A 、側面45B 及び上面45C の各々に対して対向配置された先端面位置規制部51A 、側面位置規制部51B 及び上面位置規制部51C が設けられている。
換言すると、箱状の第１係止部51の天井部分が、被固定部45の上面45C の位置を規制するために上面位置規制部51C とされ、第１係止部51の両側の側壁部分が、被固定部45の側面45B と係合してその位置を規制する側面位置規制部51B とされ、第１係止部51の開口と対向する側壁部分が、被固定部45の先端面45A と係合してその位置を規制する先端面位置規制部51A とされている。
【００２８】
第２係止部52は、図３ないし図５に示すように、三箇所に分散配置された部位で、放熱板41の被固定部45の先端部分を挟んで固定するものとなっている。
このような第２係止部52には、固定板22C の上に置かれた他方の被固定部45の先端面45A 、側面45B 及び上面45C のそれぞれと係合してその位置を規制するために、先端面位置規制部52A 、側面位置規制部52B 及び上面位置規制部52C が設けられている。
具体的に説明すると、第２係止部52には、固定板22C にＵ字形の切り込みを入れることにより、弾性変形可能な腕部53が形成されている。この腕部53の先端には、その先端からマルチメディア処理ボード21へ向かって突出する側壁部(52A) と、この側壁部(52A) の先端から放熱板41へ向かって突出する鍔部(52C) とが形成されている。このうち、側壁部(52A) が被固定部45の先端面45A と係合してその位置を規制する先端面位置規制部52A とされ、鍔部(52C) が被固定部45の上面45C と係合してその位置を規制する上面位置規制部52C となっている。
【００２９】
ここで、先端面位置規制部52A 及び上面位置規制部52C は、図６（Ａ）に示すように、腕部53を弾性変形させることにより、被固定部45の先端面及び上面の位置を規制する規制位置αから被固定部45の先端面及び上面の位置規制を解除する解除位置βまで移動可能となっている。
また、先端面位置規制部52A 及び上面位置規制部52C に係止された被固定部45の先端両側には、固定板22C の表面から突出する突起(52B) が設けられ、これらの突起(52B) が被固定部45の側面45B と係合してその位置を規制する側面位置規制部52B とされている。
次に、本実施形態に係る放熱板の固定板への取付手順について説明する。
【００３０】
まず、図６（Ａ）に示すように、固定板22C に対して放熱板41を傾斜させた傾斜状態にし、この傾斜状態を維持したまま、一方の被固定部45を第１係止部51の開口の内部に挿入し、第１係止部51に被固定部45を係止させる。
次いで、放熱板41の傾斜状態を維持したまま、腕部53の弾性力に抗して押圧することにより、マルチメディア処理ボード21へ向かって腕部53を弾性変形させ、図６（Ｂ）に示すように、腕部53の先端に設けられた先端面位置規制部52A 及び上面位置規制部52C を規制位置αから解除位置βまで移動する。
この後、放熱板41の他方の被固定部45を固定板22C の表面に向かって移動し、これにより、放熱板41を水平にするとともに、当該被固定部45を第２係止部52との係合位置γに配置する。
【００３１】
続いて、被固定部45を係合位置γに配置した後、図６（Ｃ）の如く、先端面位置規制部52A 及び上面位置規制部52C を解除位置βから規制位置αに復帰させると、第２係止部52に被固定部45が係止され、これにより、放熱板41の固定板22C への固定が完了する。
そして、以上のような手順を逆に行えば、放熱板41を固定板22C から取り外すことができる。
前述のような本実施形態によれば、次のような効果が得られる。
すなわち、マルチメディア処理ボード21に対向して配置されている固定板22C に固定されるとともに、固定板22C から離間してＩＣ27に近接する位置に配置される吸熱部42を備えた放熱板41を設け、この放熱板41でＩＣ27を冷却するようにしたので、マルチメディア処理ボード21には、放熱板41を取り付けるための部位である取付しろを設ける必要がなくなり、放熱板41でＩＣ27を冷却するようにしても、マルチメディア処理ボード21の全面をＩＣ27等の電子素子の設置に利用することもでき、マルチメディア処理ボード21の実装率を何ら損なうことがない。
【００３２】
また、マルチメディア処理ボード21を支持するものであって、その表面に電子素子や電気部品等が取り付けられるものではない固定板22C の表面に放熱板41を取り付けるようにしたので、固定板22C には空間的な余裕が多くあり、ネジ止め等の適宜な取付構造を設けるスペースや取付しろが容易に確保でき、取付しろ等の確保により、放熱板41を容易に取り付けることができ、空冷構造40の設置を容易にすることができる。
さらに、柔軟性を有する熱伝導体である熱伝導シート43を、発熱部27A と吸熱部42との間に介装したので、固定板22C とマルチメディア処理ボード21との面間寸法に誤差が生じていても、この誤差を熱伝導シート43が吸収し、熱伝導シート43が発熱部27A 及び吸熱部42の両方に密着し、発熱部27A で発生した熱を吸熱部42へ効率よく伝達するようになり、これにより、固定板22C 及びマルチメディア処理ボード21の組み付けの際に誤差が許容されるようになり、この点からも、空冷構造40の設置を容易にすることができる。
【００３３】
また、放熱板41に設けた脚部44をマルチメディア処理ボート21の近傍まで延ばし、充分な放熱面積を確保するようにしたので、ＩＣ27が発生する熱を確実に放熱することができるようになるうえ、金属板を折り曲げることにより放熱板41の製作が可能となるので、その製作を容易にすることができる。
さらに、弾性変形可能な腕部53を第２係止部52に設け、この腕部53の先端に、放熱板41の被固定部45の位置を規制する先端面位置規制部52A 及び上面位置規制部52C を設けたので、先端面位置規制部52A 及び上面位置規制部52C を解除位置βに配置すれば、特殊な工具を用いることなく、且つ、ネジ止め作業等の煩雑な作業も伴わずに、放熱板41の取付作業が行え、放熱板41を固定板22C に著しく容易に取り付けることができる。
【００３４】
また、先端面位置規制部52A 及び上面位置規制部52C を固定位置αに配置すれば、第２係止部52が充分な強度で放熱板41を固定するうえ、固定板22C にマルチメディア処理ボート21を固定すると、放熱板41が固定板22C とマルチメディア処理ボート21との間に挟まれて強固に固定されるので、放熱板41を固定板22C に確実に取り付けることができる。
さらに、固定板22C 及びこの固定板22C が一体化されたカバー部材22を熱可塑性樹脂製のものとしたので、射出成形法等で固定板22C を備えたカバー部材22を製作することが可能となり、固定板22C に第１係止部51及び第２係止部52を設けたために、固定板22C が単なる平板よりも複雑な形状となっても、複雑な形状の固定板22C を有するカバー部材22を射出成形法等により容易に大量生産することができる。
【００３５】
さらに、空冷構造40をスロットマシン１に設け、ＩＣ27を冷却するにあたり、充分な冷却効率を確保したので、過熱によるＩＣ27の誤動作が未然に防止され、スロットマシン１を安定して動作させることができる。
なお、本発明は、前記実施形態に限定されるものではなく、本発明の目的を達成できる範囲における変形及び改良などをも含むものである。
例えば、熱伝導体としては、シリコーンゴム系熱伝導シート等の固形物からなる熱伝導体に限らず、シリコーングリスや他の放熱グリス等の流動物からなる熱伝導体でもよい。
また、放熱板を固定する固定手段としては、前記実施形態で示した固定構造50に限らず、ネジ止め等の異なる構造の固定構造でもよく、放熱板を固定する固定手段の具体的な構造等は、実施にあたり適宜選択することができる。
【００３６】
さらに、遊技機としては、スロットマシンに限らず、遊技場で利用されるパチンコ機、ゲームセンターで利用されるアーケードゲーム機、及び、家庭で利用される市販の汎用ゲーム機でもよい。
また、本発明は、遊技機に限らず、通常のパーソナルコンピュータや家電製品等にも適用でき、要するに箱状のカバー部材に発熱する電子素子が収納されているもの全般に適用できる。
【図面の簡単な説明】
【００３７】
【図１】本発明の一実施形態に係る遊技機を示す正面図である。
【図２】前記実施形態の要部を示す拡大断面図である。
【図３】前記実施形態に係る空冷構造を示す平面図である。
【図４】前記実施形態の空冷構造を示す側面図である。
【図５】前記実施形態に係る放熱板を示す拡大斜視図である。
【図６】前記実施形態に係る放熱板の取付手順を説明するための図である。
【符号の説明】
【００３８】
１  遊技機としてのスロットマシン
21  回路基板としてのマルチメディア処理ボート
22C 固定板
27  電子素子としてのＩＣ
27A 発熱部
40  空冷構造
41  放熱板
42  吸熱部
43  熱伝導体としての熱伝導シート
44  脚部
45  被固定部
45A 被固定部の先端面
45B 被固定部の側面
45C 被固定部の上面
51  第１係止部
52  第２係止部
51A, 52A  先端面位置規制部
51B, 52B  側面位置規制部
51C, 52C  上面位置規制部
53  腕部
【図１】
2005152433.tif 000003
【図２】
2005152433.tif 000004
【図３】
2005152433.tif 000005
【図４】
2005152433.tif 000006
【図５】
2005152433.tif 000007
【図６】
2005152433.tif 000008